(57)【要約】【課題】従来のイオン導入美容器では、イオン導入状態又はクレンジング状態を続けると、その場所が負の電位又は正の電位に偏ることによって帯電してしまうため、肌に悪く、イオン導入又はクレンジングの効果が低下するという問題があった。【解決手段】１は美容器本体、２はヘッド、３はスイッチ、４は導通電極であり、これらの構成は上記従来例と同じであるので、説明は省略するが、本実施例では、ヘッド２とスイッチ３の間にモード設定スイッチ５が設定されおり、又、美容器本体１にコントローラ部６が装着され、コントローラ部６に電源部７が接続され、又、コントローラ部６にスイッチ３及びモード設定スイッチ５が接続され、さらに、コントローラ部６に送信部８が接続され、送信部８にヘッド２が接続されている。【選択図】        図１
2004202022.tif 000002
【特許請求の範囲】
【請求項１】
ヘッドを設けた美容器本体と、該美容器本体の内部に装着される電源と、該電源が接続されたコントローラ部と、該コントローラ部に接続される操作部及び送信部と、該送信部に接続された前記ヘッドとからなり、前記送信部から前記ヘッドに予め決められた時間だけ正の繰り返しパルスを印加するクレンジング状態と正負の繰り返しパルスを印加するマッサージ状態を交互に繰り返す出力電圧パターンと、前記送信部から前記ヘッドに予め決められた時間だけ負の繰り返しパルスを印加するイオン導入状態と正負の繰り返しパルスを印加するマッサージ状態を交互に繰り返す出力電圧パターンとを前記操作部によって切り替えることを特徴とするイオン導入美容器。
【請求項２】
前記送信部は正負の繰り返しパルスを印加する発振器と、該発振器からの出力を通過させる第１、第２のゲートと、前記第２のゲートの出力側に接続された反転部と、前記第１のゲートの出力によって正の電源からの出力をオン・オフとする第１のスイッチング回路と、前記反転部からの出力によって負の電源からの出力をオン・オフする第２のスイッチング回路と、第１、第２のスイッチング回路の出力が印加されるヘッドとからなり、前記コントローラ部からの出力によって前記第１、第２のゲートを通過する前記発振器の出力を制御することを特徴とする請求項１記載のイオン導入美容器。
【発明の詳細な説明】
【０００１】
【発明が属する技術分野】
本発明は、イオン導入状態とクレンジング状態を切り替え可能にした導入美容器に関するものである。
【０００２】
【従来の技術】
一般に、イオン導入美容器としては、図５に示すように、美容器本体１にヘッド２が固着され、美容器本体１にスイッチ３が装着され、美容器本体１の側面に導通電極４が装着されており、この美容器本体１を握ると、美容器本体１の側面に装着した導通電極４が手に接触され、ここで、スイッチ３をオンにして、ヘッド２を顔や手又は足に接触して移動すると、手に接触された導通電極４と顔に接触されるヘッド２の間に起電力が発生し、顔の皮膚からイオンが導入されるように構成されている。
【０００３】
【発明が解決しようとする課題】
ここで、イオンを導入する場合は、ヘッド２に美容液（ビタミンＣ誘電体）を含んだパフを介してヘッド２に負の電圧を加えて微弱電流を流すと、電気的反発力で美容液が肌に浸透され、パルス電流の刺激により肌の奥に浸透させることができ、又、ヘッド２に正の電圧を加えて微弱電流を流すと、負に帯電した汚れを吸着し、パルス電流の刺激で肌の奥の汚れをたたき出すことができるが、イオン導入状態又はクレンジング状態を続けると、その場所が負の電位又は正の電位に偏ることによって帯電してしまうため、肌に悪く、イオン導入又はクレンジングの効果が低下するという問題があった。
【０００４】
【課題を解決しようとする手段】
本発明は、ヘッドを設けた美容器本体と、該美容器本体の内部に装着される電源と、該電源が接続されたコントローラ部と、該コントローラ部に接続される操作部及び送信部と、該送信部に接続された前記ヘッドとからなり、前記送信部から前記ヘッドに予め決められた時間だけ正の繰り返しパルスを印加するクレンジング状態と正負の繰り返しパルスを印加するマッサージ状態を交互に繰り返す出力電圧パターンと、前記送信部から前記ヘッドに予め決められた時間だけ負の繰り返しパルスを印加するイオン導入状態と正負の繰り返しパルスを印加するマッサージ状態を交互に繰り返す出力電圧パターンとを前記操作部によって切り替えるものであり、又、前記送信部は正負の繰り返しパルスを印加する発振器と、該発振器からの出力を通過させる第１、第２のゲートと、前記第２のゲートの出力側に接続された反転部と、前記第１のゲートの出力によって正の電源からの出力をオン・オフとする第１のスイッチング回路と、前記反転部からの出力によって負の電源からの出力をオン・オフする第２のスイッチング回路と、第１、第２のスイッチング回路の出力が印加されるヘッドとからなり、前記コントローラ部からの出力によって前記第１、第２のゲートを通過する前記発振器の出力を制御するものである。
【０００５】
【発明の実施の形態】
本発明では、ヘッドから負の繰り返しパルスを印加するイオン導入状態の後で、ヘッドから正負の繰り返しパルスを印加するマッサージ状態を自動的に行うことによって、肌の電位を中和し、又、正の繰り返しパルスを印加するクレンジング状態の後で、正負の繰り返しパルスを印加するマッサージ状態を自動的に行うことによって、同様に肌の電位を中和し、このように、肌内部のイオンを振動させることにより、肌の組織を活性化させ、その後のイオン導入及びクレンジングの効果を促進させることができる。
【０００６】
【実施例】
図１は本発明の実施例のイオン導入美容器の斜視図、図２は図１のイオン導入美容器の制御装置のブロック図で、１は美容器本体、２はヘッド、３はスイッチ、４は導通電極であり、これらの構成は上記従来例と同じであるので、説明は省略するが、本実施例では、ヘッド２とスイッチ３の間にモード設定スイッチ５が設定されおり、又、美容器本体１にコントローラ部６が装着され、コントローラ部６に電源部７が接続され、又、コントローラ部６にスイッチ３及びモード設定スイッチ５が接続され、さらに、コントローラ部６に送信部８が接続され、送信部８にヘッド２が接続されている。
【０００７】
このように構成した本実施例のイオン導入美容器では、まず、モード設定スイッチ５でイオン導入モードを設定して、美容器本体１を握ると、手の指に導通電極４が接触するので、ここで、動作スイッチ３を押しながらヘッド２を顔に接触させると、図３の（Ａ）に示すように、手に接触された導通電極４とヘッド２の間に負の繰り返しパルス電圧ａが印加され、顔の肌にイオンが導入され、予め決められた時間後に、正負の繰り返しパルスｂを印加するマッサージ状態が行われ、次に、予め決められた時間後に、負の繰り返しパルス電圧ａが印加されるイオン導入状態となり、イオン導入状態及びマッサージ状態を予め決められた時間毎に効果的に行うことができる。
【０００８】
又、モード設定スイッチ５でクレンジングモードを設定して美容器本体１を握ると、手の指に導通電極４が接触するので、ここで、動作スイッチ３を押しながらヘッド２を顔に接触させると、図３の（Ｂ）に示すように、手に接触された導通電極４とヘッド２の間に正の繰り返しパルス電圧ｃが印加されて肌の汚れをたたき出すクレンジング状態を行い、次に、予め決められた時間後に、正負の繰り返しパルス電圧ｂを印加するマッサージ状態が行われ、さらに、予め決められた時間後に、正の繰り返しパルス電圧ａが印加されるマッサージ状態を行うというように、クレンジング状態とマッサージ状態を予め決められた時間毎に効果的に行うことができる。
【０００９】
図４は図１の送信部のブロック図で、発振器９に第１、第２のゲート１０、１１が接続され、第１、第２のゲート１０、１１の開閉信号はコントローラ部６から入力され、第２のゲート１１の出力に反転部１２が接続され、第１のゲート１０の出力で第１のスイッチング回路１３が正の電源部（＋Ｖｃｃ）の出力をオン・オフし、又、反転部１２の出力で第２のスイッチング回路１４が負の電源部（−Ｖｃｃ）の出力をオン・オフし、第１、第２のスイッチング回路１３、１４の出力は抵抗Ｒ１、Ｒ２、Ｒ３を介してヘッド２に印加される。
【００１０】
このように構成された本実施例の送信部８では、ヘッド２にイオン導入パルス電圧を印加するには、コントローラ部６から第２のゲート１１に予め決められた時間だけ信号を印加すると、発振器９のパルス出力が第２のゲート１１を通過し、反転部１２で反転されて第２のスイッチング回路１４をオフ・オンするので、第２のスイッチング回路１４から負の電圧が発振器９のパルス出力に同期して出力され、負の繰り返しパルスがヘッド２に印加されることによって、イオン導入状態が行われ、又、ヘッド２にクレンジングパルス電圧を印加するには、コントローラ部６から第１のゲート１０に予め決められた時間だけ信号を印加すると、発振器９のパルス出力が第１のゲート１０を通過して、第１のスイッチング回路１３がオフ・オンされることにより、第１のスイッチング回路１３から正の電圧が発振器９のパルス出力に同期して出力され、正の繰り返しパルスがヘッド２に印加されることによって、クレンジング状態が行われ、さらに、コントローラ部６から第１、第２のゲート１０、１１に予め決められた時間だけ信号を印加すると、発振器９のパルス出力が第１のゲート１０を通過して第１のスイッチング回路１３をオン・オフすることにより、第１のスイッチング回路１３から正のパルスが出力され、又、第２のゲート１１の出力が反転部１２で反転されることにより、発振器９のパルス出力は第２のゲート１１を通過して反転部１２で反転して、第２のスイッチング回路１４をオフ・オンするので、第２のスイッチング回路１４から負のパルスが出力されることにより、第１、第２のスイッチング回路１３、１４からヘッド２に正負のパルスが繰り返し入力され、マッサージ状態にすることができる。
【００１１】
【発明の効果】
以上説明したように、本発明のイオン導入美容器では、ヘッドから負の繰り返しパルスを印加するイオン導入状態の後で、ヘッドから正負の繰り返しパルスを印加するマッサージ状態を自動的に行うことによって、肌の電位を中和し、又、正の繰り返しパルスを印加するクレンジング状態の後で、正負の繰り返しパルスを印加するマッサージ状態を自動的に行うことによって、同様に肌の電位を中和し、このように、肌内部のイオンを振動させることにより、肌の組織を活性化させ、その後のイオン導入及びクレンジングの効果を促進させることができるという利点がある。
【図面の簡単な説明】
【図１】本発明の実施例のイオン導入美容器の側面図である。
【図２】図１のイオン導入美容器の制御部のブロック図である。
【図３】本発明のイオン導入状態とマッサージ状態及びクレンジング状態とマッサージ状態を切り替える波形を示した図である。
【図４】図２のイオン導入美容器の制御部の送信部のブロック図である。
【図５】従来例のイオン導入美容器の側面図である。
【符号の説明】
１            美容器本体
２            ヘッド
３            スイッチ
４            導通電極
５            モード設定スイッチ
６            コントローラ部
７            電源部
８            送信部
９            発振器
１０          第１のゲート
１１          第２のゲート
１２          反転部
１３          第１のスイッチング回路
１４          第２のスイッチング回路
【図１】
2004202022.tif 000003
【図２】
2004202022.tif 000004
【図３】
2004202022.tif 000005
【図４】
2004202022.tif 000006
【図５】
2004202022.tif 000007